(57)【要約】【課題】スポンジなどのクリーナーを保持したり載置したりするラックや保管スペースが不要で、狭い流し台でも衛生的に保管することができる磁石付クリーナーを提供する。【解決手段】食器又は調理器洗浄用のクリーナー１において、発泡樹脂及び繊維材のいずれか一方又はそれらが組み合わされたスポンジ状の洗浄体２を備え、前記洗浄体２の内部に永久磁石３を挿置する。また、永久磁石３をネオジム磁石とする。【選択図】図１
0003230105.tif 000002
【実用新案登録請求の範囲】
【請求項１】
発泡樹脂及び繊維材のいずれか一方又はそれらが組み合わされた洗浄体を備え、
前記洗浄体の内部に永久磁石が挿置されていること
を特徴とする磁石付きクリーナー。
【請求項２】
前記永久磁石は、ネオジム磁石であること
を特徴とする請求項１に記載の磁石付きクリーナー。
【考案の詳細な説明】
【技術分野】
【０００１】
本考案は、スポンジなどのクリーナーに関し、詳しくは、食器又は調理器洗浄用の用途として用いられる磁石付きクリーナーに関する。
【背景技術】
【０００２】
食器又は調理器洗浄用クリーナーの代表的な例として、食器又は調理器洗浄用スポンジが挙げられる。この種のスポンジは、使用しないとき、シンク内又はシンク近傍に設けたラックに置かれることが多い。しかし、スポンジをラックに置くと、今度は、ラック廻りに汚れが溜まり、必ずしも衛生的ではないという問題がある。その上、ラックを外して、その周りの汚れを落とすのが、面倒になるという新たな問題も発生する。
【０００３】
例えば、特許文献１には、棒体で略Ｕ字状を形成し、前部、背部、底部に分かれ、前部と背部の一端は共に本体部の端部を設け、他端は共に底部の端に各々連結し、スポンジを本体部で挟持するため前部と背部の少なくとも片方に凸部を設けた、スポンジの保持具が開示されている。
【０００４】
この特許文献１に記載のスポンジ保持具は、スポンジを水切りの良い角度で挟持でき、スポンジと保持具は点接触に近く接触面が少なく風通しが良いので乾燥が早く、かつ全体の汚れが一目で見え、構造が簡単で保持具の本体部と取付具の着脱が容易とされている。また、特許文献１に記載のスポンジ保持具は、本体部と取付具を簡単で確実に洗浄できるため、水垢や菌を激減できる衛生面で優れているとされている。
【０００５】
しかし、特許文献１に記載のスポンジ保持具は、ラックとシンクとの隙間に汚れが溜まったり、吸盤の廻りに汚れが溜まったりするおそれがあり、時々ラックをシンクから外して洗浄する必要があるという問題がある。
【先行技術文献】
【特許文献】
【０００６】
【特許文献１】特開２０１８−７９９３号公報
【考案の概要】
【考案が解決しようとする課題】
【０００７】
そこで、本考案は、前述した問題点に鑑みて案出されたものであり、その目的とすると
ころは、スポンジなどのクリーナーを保持したり載置したりするラックや保管スペースが不要で、狭い流し台でも衛生的に保管することができる磁石付クリーナーを提供することにある。
【課題を解決するための手段】
【０００８】
請求項１に記載の磁石付クリーナーは、発泡樹脂及び繊維材のいずれか一方又はそれらが組み合わされた洗浄体を備え、前記洗浄体の内部に永久磁石が挿置されていることを特徴とする。
【０００９】
請求項２に記載の磁石付クリーナーは、請求項１に記載の磁石付クリーナーにおいて、前記永久磁石は、ネオジム磁石であることを特徴とする。
【考案の効果】
【００１０】
請求項１及び２に記載の磁石付クリーナーによれば、シンクの側面などの磁性体に磁着させて保持することができ、スポンジなどのクリーナーを保持したり載置したりするラックや保管スペースが不要で、クリーナーから洗浄液が流れ落ちてもそのままシンクの排水口から排出されるため狭いシンクでも衛生的に保管することができる。
【００１１】
特に、請求項２に記載の磁石付クリーナーによれば、安価に大量に入手可能な汎用磁石としては磁力（吸着力）が最も高く、厚手の洗浄体を使用しても中央に１つの磁石を設けるだけで、磁性体の壁面に磁着させて保持することができる。
【図面の簡単な説明】
【００１２】
【図１】本考案の実施形態に係る磁石付きクリーナーを示す斜視図である。
【図２】同上の磁石付きクリーナーを示す平面図である。
【図３】図２のＡ−Ａ線断面図である。
【考案を実施するための形態】
【００１３】
以下、本考案に係る磁石付きクリーナーの実施形態について、図面を参照しながら詳細に説明する。
【００１４】
図１〜図３を用いて、本考案の実施形態に係る磁石付きクリーナー１（以下、単にクリーナー１ともいう）について説明する。図１は、本考案の実施形態に係る磁石付きクリーナー１を示す斜視図である。また、図２は、磁石付きクリーナー１を示す平面図であり、図３は、図２のＡ−Ａ線断面図である。
【００１５】
本実施形態に係る磁石付きクリーナー１は、スポンジなどの食器又は調理器洗浄用の用途として用いられるクリーナーである。図１〜図３に示すように、クリーナー１は、洗剤成分や水分を吸水して保持する網目状のスポンジなどからなる洗浄体２を基体とし、その洗浄体２の内部に永久磁石３が挿置されている。
【００１６】
（洗浄体）
本実施形態に係る洗浄体２は、図２等に示すように、平面視だるま状の形態となっており、発泡樹脂であるウレタンフォームやメラミンフォームなどからなる上下に二分割されたスポンジ状のスポンジ部２０，２１と、その外側に接合された不織布部２２，２３など、から構成されている。
【００１７】
勿論、スポンジ部２０，２１は、ウレタンフォームやメラミンフォームに限られず、発泡樹脂や繊維材のようにスポンジ状の空隙を有し、洗剤成分や水分を吸水して保持できるものであれば、特に限定されるものではない。
【００１８】
また、図３に示すように、この二分割されたスポンジ部２０，２１には、それぞれ後述の永久磁石３を挿置するための永久磁石３の形態に応じた凹部２０ａ，２１ａが形成されている。本実施形態の凹部２０ａ，２１ａは、後述の永久磁石３の上下方向に薄い直方体状の形態に応じて、平面視長方形状の凹部となっている。
【００１９】
そして、本実施形態に係る不織布部２２，２３は、焦げ付き汚れを落とすために、不織布の表面に研磨剤が付着された研磨剤入り不織布となっている。但し、不織布部２２，２３は不織布に限られず、セルロース、マイクロファイバーなどの繊維材に磨剤が付着されたものであればよい。
【００２０】
また、洗浄体２は、スポンジ部２０，２１と不織布部２２，２３とが積層された形態に限られず、洗浄するものに応じてハードスポンジやソフトスポンジなど、どちらか一方の単体や、さらに積層数が多くても構わない。要するに、本考案に係る洗浄体は、スポンジ状の空隙を有し、発泡樹脂及び繊維材のいずれか一方又はそれらが組み合わされたものでもよく、それらに研磨剤や抗菌剤など、必要な添加剤が添加されたものであっても構わない。
【００２１】
なお、洗浄体２は、二分割されて後述の永久磁石３を挿置するための凹部が設けられていることが好ましい。但し、作業手間がかかるが、洗浄体２は、一つのスポンジ部にカッター等で切り込みを入れて永久磁石３を挿置することも可能である。
【００２２】
（永久磁石）
本実施形態に係る永久磁石３は、上下に薄い直方体状のネオジム磁石からなり、図２，図３に示すように、洗浄体２の平面視及び側面視の中央に１つだけ設けられている。本実施形態に係る永久磁石３をネオジム磁石とした理由は、安価に大量に入手可能な汎用磁石としては磁力（吸着力）が最も高く、厚手の洗浄体２を使用しても中央に１つの磁石を設けるだけで、磁性体の壁面に磁着させて保持することができるからである。
【００２３】
但し、本考案に係る永久磁石は、ネオジム磁石に限られず、フェライト磁石、サマリウム・コバルト磁石、アルニコ磁石など、他の汎用磁石であっても構わない。洗浄体２の厚さによっては、強い磁力が必要ない場合があるからである。また、直方体状の磁石を例示したが、本考案に係る永久磁石は、円盤状や楕円状など、どのような形状のものであってもよいことは云うまでもない。
【００２４】
以上説明した本考案の実施形態に係る磁石付きクリーナー１によれば、流し台のシンクの側面などの磁性体に磁石付きクリーナー１を磁着させてシンクの側面に保持することができる。このため、スポンジなどのクリーナーを保持したり載置したりするラックや保管スペースが不要となり、クリーナーから洗浄液が流れ落ちてもそのままシンクの排水口から排出されるため狭い流し台でも衛生的に保管することができる。
【００２５】
また、磁石付きクリーナー１によれば、ラックとシンクとの隙間に汚れが溜まったり、吸盤の廻りに汚れが溜まったりするおそれがなく、時々ラックをシンクから外して洗浄する必要もない。
【００２６】
それに加え、磁石付きクリーナー１によれば、永久磁石３を強力な磁力を有するネオジム磁石としている。このため、種々の用途に応じて、厚手の洗浄体２を使用しても中央に１つの磁石を設けるだけで、シンクの壁面に磁着させて保持することができる。
【００２７】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【００２８】
特に、磁石付きクリーナー１を磁着する場所としてシンクを例示して説明したが、ラックや水切り籠、フック、箸立て、俎板立てなどのキッチン用品、フライパンや鍋などの調理器具、その他の磁性体に磁着させて保持することができる。
【符号の説明】
【００２９】
１：磁石付きクリーナー
２：洗浄体
２０，２１：スポンジ部
２０ａ，２１ａ：凹部
２２，２３：不織布部
３：永久磁石
【図１】
0003230105.tif 000003
【図２】
0003230105.tif 000004
【図３】
0003230105.tif 000005